(57)【特許請求の範囲】
【請求項１】
衣類を乾燥させる回転ドラムと、前記回転ドラム内へ温風を循環する送風手段と、前記回転ドラム内への送風経路に設けた加熱手段と、前記回転ドラム内へ衣類を投入する扉と、前記送風手段または前記回転ドラムを回転駆動するモータと、前記回転ドラムの回転数または回転周期を検知する回転検知手段と、前記扉の開閉を検知する開閉検知手段と、前記モータの回転数および前記加熱手段を制御する制御手段と、前記制御手段の回路部品を装着した制御基板とを備え、前記回転検知手段は、前記回転ドラムに装着した第１の磁石と第１の磁気センサよりなり、前記開閉検知手段は、前記扉に装着した第２の磁石と第２の磁気センサよりなり、前記第１の磁気センサおよび第２の磁気センサは、それぞれ第１の磁石および第２の磁石に対向して前記制御基板の同一面上に実装され、前記制御基板は、実装面が前記扉側に、半田面が前記回転ドラム側になるように構成した衣類乾燥機。
【請求項２】
第２の磁気センサの高さが、第１の磁気センサの高さより高くなるように設定した請求項１記載の衣類乾燥機。
【請求項３】
第１の磁気センサと第２の磁気センサを近接して配置するとともに、第１の磁石による前記第２の磁気センサの誤動作、または、第２の磁石による前記第１の磁気センサの誤動作を防止する磁気シールド板を備え、前記磁気シールド板は、制御基板の実装面の裏面側で前記第２の磁気センサに対向して配置された請求項１または２に記載の衣類乾燥機。
【発明の詳細な説明】
【０００１】
【産業上の利用分野】
本発明はモータで回転駆動される回転ドラム内へ温風を循環して衣類を乾燥させる衣類乾燥機に関する。
【０００２】
【従来の技術】
近年、家庭用の衣類乾燥機は、衣類を乾燥させる回転ドラムの回転数を検知し、衣類の種類や量に応じて回転数を制御する衣類乾燥機が提案されている。
【０００３】
従来、この種の衣類乾燥機は、特開昭５８−１６３７１２号公報に示すように構成されていた。すなわち、回転ドラムに永久磁石を取付け、永久磁石と対向する位置にリードスイッチを取付けて回転速度検出機構を構成し、回転ドラムの回転数を検出するようにしていた。
【０００４】
【発明が解決しようとする課題】
このような従来の衣類乾燥機では、回転速度検出機構の部品点数が増加し、価格が高くなり、部品点数増加により信頼性が低下するという問題を有していた。
【０００５】
本発明は上記従来課題を解決するもので、回転検知手段の構成および扉の開閉を検知する開閉検知手段の構成を簡単にし、部品点数と価格を低減して、信頼性を向上することを目的としている。
【０００６】
【課題を解決するための手段】
本発明は上記目的を達成するために、衣類を乾燥させる回転ドラムと、前記回転ドラム内へ温風を循環する送風手段と、前記回転ドラム内への送風経路に設けた加熱手段と、前記回転ドラム内へ衣類を投入する扉と、前記送風手段または前記回転ドラムを回転駆動するモータと、前記回転ドラムの回転数または回転周期を検知する回転検知手段と、前記扉の開閉を検知する開閉検知手段と、前記モータの回転数および前記加熱手段を制御する制御手段と、前記制御手段の回路部品を装着した制御基板とを備え、前記回転検知手段は、前記回転ドラムに装着した第１の磁石と第１の磁気センサよりなり、前記開閉検知手段は、前記扉に装着した第２の磁石と第２の磁気センサよりなり、前記第１の磁気センサおよび第２の磁気センサは、それぞれ第１の磁石および第２の磁石に対向して前記制御基板の同一面上に実装され、前記制御基板は、実装面が前記扉側に、半田面が前記回転ドラム側になるように構成したことを第１の課題解決手段としている。
【０００７】
上記の第１の課題解決手段に加えて、第２の磁気センサの高さが、第１の磁気センサの高さより高くなるように設定したことを第２の課題解決手段としている。
【０００８】
また、上記第１または第２の課題解決手段に加えて、第１の磁気センサと第２の磁気センサを近接して配置するとともに、第１の磁石による前記第２の磁気センサの誤動作、または、第２の磁石による前記第１の磁気センサの誤動作を防止する磁気シールド板を備え、前記磁気シールド板は、制御基板の実装面の裏面側で前記第２の磁気センサに対向して配置されたことを第３の課題解決手段としている。
【０００９】
【作用】
本発明は上記した第１の課題解決手段により、回転検知手段および扉の開閉を検知する開閉検知手段の構成を簡単にでき、部品点数と価格を低減することができ、信頼性を向上できる。
【００１０】
また、第２の課題解決手段により、磁気相互干渉を防止するができ、信頼性を向上することができる。
【００１１】
また、第３の課題解決手段により、シールド板により、第１の磁石による第２の磁気センサの誤動作、または、第２の磁石による第１の磁気センサの誤動作を防止することができて磁気相互干渉を防止するができ、信頼性を向上することができる。
【００１２】
【実施例】
以下、本発明の一実施例を図１および図２を参照しながら説明する。
【００１３】
図に示すように、回転ドラム１は被乾燥物（衣類）を収容して乾燥させるもので、熱交換型両翼ファン（送風手段）２により回転ドラム１内に温風を循環させる。熱交換型両翼ファン２は、回転ドラム１内に温風を循環させると同時に外部からの空気を取り入れてファンを冷却し、回転ドラム１の循環空気を除湿する。ＰＴＣヒータ（加熱手段）３は、回転ドラム１への送風経路、すなわち循環空気取入れ口に配設して循環空気を加熱する。
【００１４】
扉４は、回転ドラム１へ衣類を投入し、回転ドラム１内の衣類と温風が外に出ないようにする。モータ５は、回転ドラム１と熱交換型両翼ファン２を回転駆動させるもので、モータ５の回転数を制御することにより回転ドラム１と熱交換型両翼ファン２の回転数を制御でき、ＰＴＣヒータ段３の発熱量を制御でき、電流制御が可能となる。
【００１５】
回転検知手段６は、回転ドラム１の回転数を検知するもので、回転ドラム１に第１の磁石６ａを取り付け、第１の磁石６ａに対向して第１の磁気センサ６ｂを配置して回転ドラム１の回転数を検知する。開閉検知手段７は、第２の磁石７ａを扉４に取り付け、第２の磁石７ａに対向して第２の磁気センサ７ｂを配置して扉４の開閉を検知する。
【００１６】
制御手段８は、回転検知手段６の信号と開閉検知手段７の信号によりモータ５の回転とＰＴＣヒータ３を制御し、扉４の開閉状態あるいは乾燥衣類の量に応じて回転ドラム１の回転数を制御する。制御手段８は、マイクロコンピュータ等よりなる信号制御手段８ａと、モータ５の回転とＰＴＣヒータ３を制御するスイッチング手段８ｂと、ＰＴＣヒータ３の電流を検出する電流検知手段８ｃとにより構成している。ＰＴＣヒータ３は、モータ５の回転数を制御して送風量を制御し、電流制御を行なう。
【００１７】
第１の磁気センサ６ｂと第２の磁気センサ７ｂは通常リードスイッチで構成し、本体部に取り付けられた制御手段８を構成する制御基板８ｄ上に搭載し、第１の磁石６ａまたは第２の磁石７ａの近接を検出する。磁気シールド板９は、残留磁気の少ない鉄板で構成し、第１の磁石６ａが第２の磁気センサ７ｂに近接したときに、扉４が開いているにも関わらず閉じたと誤検知することを防止し、また、扉４が閉じているにも関わらず開いたと誤検知することを防止するもので、磁気相互干渉を防止するもである。
【００１８】
図３は、回転検知手段６と開閉手段７と制御基板８ｄと、磁気シールド板９の相対位置関係を示したものである。回転ドラム１に装着した第１の磁石６ａに対向して制御基板８ｄ上に第１の磁気センサ６ｂを実装し、扉４に装着した第２の磁石７ａに対向して制御基板８ｄ上に第２の磁気センサ７ｂを実装する。扉４側が制御基板８ｄの実装面で、回転ドラム１側が制御基板８ｄの半田面であり、第１の磁気センサ６ｂはできるだけ高さを低くし、第２の磁気センサ７ｂはできるだけ高く設定する。
【００１９】
磁気シールド板９は、第１の磁石６ａと第２の磁気センサ７ｂ間に配置し、第１の磁石６ａによる磁力線が第２の磁気センサ７ｂに届かないようにする。磁気シールド板９は鉄板なので、透磁率が高く磁力線が見かけ上吸収されることとなる。
【００２０】
図４は、制御基板８ｄ上に配置された第１の磁気センサ６ｂと第２の磁気センサ７ｂを、本体部正面側から見た図である。磁気シールド板９は、制御基板８ｄの裏面に配置される。
【００２１】
図５は本体上部から見た図で、開閉検知手段７の磁気方向を固定して、検知精度を向上させるもので、扉４に装着した第２の磁石７ａの磁界方向と、磁気シールド板９の残留磁気方向を互いに強め合う方向、すなわち、第２の磁石７ａにより発生する残留磁気方向とし、検知精度を向上させる。
【００２２】
磁気シールド板９の残留磁気は、回転ドラム１に装着した第１の磁石６ａによっても発生し、残留磁気方向は、図示するように、第２の磁石７ａにより発生する残留磁気方向と同一方向に合わせる。第１の磁石６ａにより発生する残留磁気方向と、第２の磁石７ａにより発生する残留磁気方向が逆の場合には、第２の磁石７ａが磁気シールド板９に近づく毎に、磁気シールド板９の残留磁気が変化し、第２の磁気センサを通過する磁力線が変化し、第２の磁気センサの動作距離が変化する。
【００２３】
以上のように本実施例によれば、回転ドラム１の回転数を検知する回転検知手段６と、扉４の開閉を検知する開閉検知手段７の部品点数を減らし、信頼性を向上でき、価格を安くできる。また、回転検知手段６と開閉検知手段７の磁気相互干渉を減らし、検知精度を向上することができる。
【００２４】
【発明の効果】
以上のように本発明は、回転検知手段およびおよび扉の開閉を検知する開閉検知手段の部品点数を減らし、価格を低減することができ、信頼性を向上できる。
【図面の簡単な説明】
【図１】本発明の一実施例の衣類乾燥機の断面図
【図２】同衣類乾燥機のシステム構成図
【図３】同衣類乾燥機の回転検知手段と開閉検知手段の構成を示す断面図
【図４】同衣類乾燥機の磁気センサの配置を示す上面図
【図５】同衣類乾燥機の第２の磁石と磁気シールド板の磁気極性を示す上面図
【符号の説明】
１  回転ドラム
２  熱交換型両翼ファン（送風手段）
３  ＰＴＣヒータ（加熱手段）
５  モータ
６  回転検知手段
６ａ  第１の磁石（磁石）
６ｂ  第１の磁気センサ（磁気センサ）
８  制御手段
８ｄ  制御基板
【図１】
0003612748.tif 000002
【図２】
0003612748.tif 000003
【図３】
0003612748.tif 000004
【図４】
0003612748.tif 000005
【図５】
0003612748.tif 000006